(57)【要約】  太陽電池２００から出力する直流電圧を昇圧する昇圧回路１０と、昇圧された直流電圧に基づく直流電力を交流電力に変換するインバータ回路２０と、インバータ回路２０の出力電流波形を滑らかにするフィルタ３０と、フィルタを介して商用系統電源３００に入力するインバータの出力電流が流れるセンサ（シャント抵抗）７０と、センサに流れる電流の直流成分を検出する直流検出回路９０と、太陽電池の出力電圧Ｖｓ、太陽電池電流Ｉｓ、商用系統電源の電圧Ｖｏおよび直流検出回路で検出された直流成分に基づいて、インバータの目標出力電流を制御する制御回路４０を備え、センサに近接して直流検出回路が配置されている。
2012073582.tif 000002
【特許請求の範囲】
【請求項１】
太陽電池が発電する直流電力をインバータにて交流電力に変換し、商用系統電源に電力を出力する系統連系パワーコンディショナであって、
前記太陽電池から出力する直流電圧を昇圧する昇圧回路と、前記昇圧回路で昇圧された直流電圧に基づく直流電力を交流電力に変換するインバータと、前記インバータの出力電流波形の直流成分を抽出し、前記インバータの出力電流波形を滑らかにするフィルタと、前記フィルタを介して前記商用系統電源に入力する前記インバータの出力電流が流れるセンサと、前記センサに流れる電流の直流成分を検出する直流検出回路と、前記太陽電池の出力電圧、太陽電池電流、前記商用系統電源の電圧および前記直流検出回路で検出された直流成分に基づいて、前記インバータの目標出力電流を制御する制御回路を備え、
前記センサに近接して前記直流検出回路が配置されていることを特徴とする系統連系パワーコンディショナ。
【請求項２】
太陽電池が発電する直流電力を三相用のインバータにて三相の交流電力に変換し、三相の商用系統電源に電力を出力する三相用の系統連系パワーコンディショナであって、
前記太陽電池から出力する直流電圧を昇圧する昇圧回路と、前記昇圧回路で昇圧された直流電圧に基づく直流電力を三相の交流電力に変換する三相用のインバータと、前記インバータの各相の出力電流波形の直流成分を抽出し、前記インバータの各相の出力電流波形をそれぞれ滑らかにするフィルタと、前記各相のフィルタを介して三相の商用系統電源に入力する前記インバータの各相の出力電流が流れる三相用のセンサと、前記三相の各センサに流れる電流の直流成分をそれぞれ検出する三相用の直流検出回路と、前記太陽電池の出力電圧、太陽電池電流、前記三相の商用系統電源の電圧および前記三相用の直流検出回路で検出された各相の直流成分に基づいて、前記インバータの各相の目標出力電流を制御する制御回路を備え、
前記各相のセンサにそれぞれ近接して前記三相用の直流検出回路が配置されていると共に、各センサは、相互に発熱の影響を受けないように左右に並べて配置されていることを特徴とする系統連系パワーコンディショナ。
【発明の詳細な説明】
【技術分野】
【０００１】
本発明は、太陽電池で発電した直流電力を交流電力に変換して商用系統電源に出力するパワーコンディショナに係わり、特に、交流出力電流に含まれる直流成分を所定の規定値内に収め、品質のよい交流電力を商用電力系統へ出力するパワーコンディショナに関するものである。
【背景技術】
【０００２】
系統連系パワーコンディショナは、太陽電池で発電された直流電力を、インバータを用いて単相３線式または三相３線式などの商用系統電源の周波数および電圧に応じた交流電力に変換し、その商用系統に交流電力を出力する。
太陽電池が非接地で設置され、インバータとの間を絶縁することなく商用系統に電力を供給するトランスレス系統連系パワーコンディショナは、その交流出力電力に直流成分が含まれると、接続される系統トランス（即ち、高圧配電線で配電される高電圧を需要家が使用する低電圧に変圧するトランス）を偏磁させる恐れがある。
そのため、定格交流電流に含まれる直流成分の割合が、国内の場合は系統連系規定ＪＥＡＣ  ９７０１−２０１０により１％以内に、北米の場合はＩＥＥＥ１５４７の規定により０．５％以内に収めるように規定されている。【０００３】
図５は、例えば特許文献１（特許第３４０５２０４号）の図７に示されているトランスレスパワーコンディショナ（特許文献１では太陽光発電インバータ装置と称している）の直流検出回路の構成を示すブロック図である。
図５に示すように、トランスレスのパワーコンディショナは、インバータ回路（インバータ装置のことであり、単にインバータとも称す）２０ａの後段にインバータ回路（インバータ）２０ａから出力する交流電流に含まれる直流分を検出するための直流検出回路９０ａを備えている。【０００４】
直流検出回路９０ａは、インバータ回路２０ａの交流出力電流を検出するためのセンサ（例えばシャント抵抗）７０ａと、交流出力電流に含まれる直流成分のみを抽出する直流フィルタ９３ａと、センサ（シャント抵抗）７０ａで発生する微小電圧を増幅すると共にセンサ（シャント抵抗）７０ａの主回路電位と制御回路４０ａの信号電位を絶縁するためのアイソレーションアンプ９２ａと、アイソレーションアンプ９２ａからのアナログ出力をデジタル値に変換するＡ／Ｄ変換器４１ａで構成されている。
そして、Ａ／Ｄ変換器４１ａにてデジタル値に変換された信号は制御回路４０ａに入力される。
制御回路４０ａは、入力された信号に基づいて演算を行い、インバータ出力電流に含まれる直流成分を抑制するようにインバータ回路２０ａを制御する。
なお、制御回路４０ａの電源は、通常は商用電源（例えばＡＣ１００Ｖ）から絶縁してＤＣ５Ｖなどの電源を生成し、制御回路４０ａと主回路は絶縁されている。
アイソレーションアンプ９２ａは、商用系統回路（２００Ｖ、４００Ｖなど）に直接接続されるインバータ回路に存在するシャント抵抗に発生する電圧を制御回路で検出するために電圧信号を絶縁する。【０００５】
しかしながら、特許文献１に示された従来の系統連系パワーコンディショナ（太陽光発電インバータ装置）では、直流検出回路９０ａは、センサ（シャント抵抗）７０ａ、直流フィルタ９３ａ、アイソレーションアンプ９２ａなどが１枚のプリント基板内で一体的に構成されている。
なお、センサ７０ａには、通常、数ミリΩのシャント抵抗が用いられる。
この技術（即ち、数ミリΩのシャント抵抗が用いられるセンサ、直流フィルタおよびアイソレーションアンプなどを１枚のプリント基板内で一体的に構成する技術）は、パワーコンディショナの出力容量が１０ｋＷ程度までの小容量のパワーコンディショナであれば、図６に示すように、インバータの出力電流をプリント基板上のプリントパターン７５に直接流すことが可能である。
なお、図６に示した抵抗７６は、アイソレーションアンプ９２ｂの増幅率を決めるためのものである。
そのため、センサのシャント抵抗として、基板に実装できる部品（例えば面実装型抵抗器７０ｂ）を使用することができる。
その結果、「基板に実装された面実装型抵抗器（シャント抵抗）７０ｂ」と「面実装型抵抗器７０ｂの両端に発生する微小電圧を増幅するためアイソレーションアンプ９２ｂ」を接続する構成が、一つの基板上で実現できる。【０００６】
一方、出力容量が１００ｋＷを超えるような大容量のパワーコンディショナの場合は、出力電流をプリント基板のパターン（プリントパターン）に直接流すことは困難であり、また、シャント抵抗の寸法も大きくなるため、図５に示したような構成の直流検出回路を１枚の基板に実装することはできない。
したがって、シャント抵抗は、直流検出回路とは別の個別部品として配置される。
そのため、シャント抵抗の両端に発生する微小電圧信号を直流検出回路に伝達するための信号用配線が必要となり、大容量の場合の従来のパワーコンディショナは、図７に示すような構成となる。
なお、図７において、「Ｒ」、「Ｃ」は、インバータ回路２０ｂの出力電流波形を滑らかにするフィルタ３０ａを構成する「抵抗」、「コンデンサ」である。
また、８０ａは、シャント抵抗７０ｃの両端に発生する微小電圧信号を直流検出回路９０ｂに伝達するための信号用配線である。【０００７】
直流検出回路９０ｂ内では、シャント抵抗７０ｃの両端に発生する微小電圧信号を増幅するため、シャント抵抗７０ｃと直流検出回路９０ｂの間の信号用配線８０ａが長いと、パワーコンディショナ内部で発生する電磁的ノイズが信号用配線８０ａに重畳し、直流検出回路９０ｂの入力信号の電圧が実際の値とは異なったものになる。
その結果、直流成分の抑制制御が正常に行われず、規定値以上の直流成分を含んだ交流電流を商用電力系統電源側に流出する恐れがある。
また、実際には直流成分が規定値以内であるにも関わらず、電磁的ノイズのために直流成分が規定値を越えたと制御回路４０ｂが認識して、パワーコンディショナを停止させてしまうという問題が生じる。
【先行技術文献】
【特許文献】
【０００８】
【特許文献１】特許第３４０５２０４号公報
【発明の開示】
【発明が解決しようとする課題】
【０００９】
この発明は、上記のような問題点を解決するためになされたものであり、出力電流が大きいために直流成分検出用のシャント抵抗と直流検出回路を分離して配置せざるをえない大容量の系統連系パワーコンディショナにおいても、内部で発生する電磁的ノイズの影響を抑制し、交流出力電流に含まれる直流成分を精度良く検出できる系統連系パワーコンディショナを提供することを目的とする。
【課題を解決するための手段】
【００１０】
本発明に係る系統連系パワーコンディショナは、太陽電池が発電する直流電力をインバータにて交流電力に変換し、商用系統電源に電力を出力する系統連系パワーコンディショナであって、前記太陽電池から出力する直流電圧を昇圧する昇圧回路と、前記昇圧回路で昇圧された直流電圧に基づく直流電力を交流電力に変換するインバータ（インバータ回路）と、前記インバータの出力電流波形の直流成分を抽出し、前記インバータの出力電流波形を滑らかにするフィルタと、前記フィルタを介して前記商用系統電源に入力する前記インバータの出力電流が流れるセンサと、前記センサに流れる電流の直流成分を検出する直流検出回路と、前記太陽電池の出力電圧、太陽電池電流、前記商用系統電源の電圧および前記直流検出回路で検出された直流成分に基づいて、前記インバータの目標出力電流を制御する制御回路を備え、
前記センサに近接して前記直流検出回路が配置されていることを特徴とする。【００１１】
また、本発明に係る系統連系パワーコンディショナは、太陽電池が発電する直流電力を三相用のインバータにて三相の交流電力に変換し、三相の商用系統電源に電力を出力する三相用の系統連系パワーコンディショナであって、
前記太陽電池から出力する直流電圧を昇圧する昇圧回路と、前記昇圧回路で昇圧された直流電圧に基づく直流電力を三相の交流電力に変換する三相用のインバータ（インバータ回路）と、前記インバータの各相の出力電流波形の直流成分を抽出し、前記インバータの各相の出力電流波形をそれぞれ滑らかにするフィルタと、前記各相のフィルタを介して前記三相の商用系統電源に入力する前記インバータの各相の出力電流が流れる三相用のセンサと、前記三相の各センサに流れる電流の直流成分をそれぞれ検出する三相用の直流検出回路と、前記太陽電池の出力電圧、太陽電池電流、前記三相の商用系統電源の電圧および前記三相用の直流検出回路で検出された各相の直流成分に基づいて、前記インバータの各相の目標出力電流を制御する制御回路を備え、
前記各相のセンサにそれぞれ近接して前記三相用の直流検出回路が配置されていると共に、各センサは、相互に発熱の影響を受けないように左右に並べて配置されていることを特徴とする。
【発明の効果】
【００１２】
本発明によれば、パワーコンディショナの交流出力電流に含まれる直流成分を検出するセンサ（シャント抵抗）の近傍に直流検出回路を配置することによって、センサと直流検出回路を接続する信号用配線を短くし、信号用配線が受けるノイズの影響を少なくでき、交流出力電流に含まれる直流成分を正確に検出することができる。【００１３】
また、本発明によれば、三相用の系統連系パワーコンディショナにおいて、各相のセンサにそれぞれ近接して三相用の直流検出回路を配置すると共に、各センサは、相互に発熱の影響を受けないように、左右に並べて配置することによって、センサと直流検出回路を接続する信号用配線を短くし、信号用配線が受けるノイズの影響を少なくすると共に、シャント抵抗の温度による抵抗値の変化に差が生じないようにすることが可能となり、三相用の系統連系パワーコンディショナにおける直流検出回路の検出誤差を抑制することができる。
【図面の簡単な説明】
【００１４】
【図１】実施の形態１による系統連系パワーコンディショナの構成を示す図である。
【図２】実施の形態１における直流検出回路と制御回路の内部構成を示す図である。
【図３】複数のシャント抵抗を配置する場合の不適切な形態を示す図である。
【図４】実施の形態２において、複数のシャント抵抗を配置する場合の形態を示す図である。
【図５】従来のパワーコンディショナにおける直流検出回路の構成を示すブロック図である。
【図６】小容量パワーコンディショナの場合のシャント抵抗実装例を示す図である。
【図７】従来の大容量パワーコンディショナの構成を示す図である。
【発明を実施するための形態】
【００１５】
以下、図面に基づいて、本発明の一実施の形態例について説明する。
なお、各図間において、同一符号は同一あるいは相当のものであることを表す。
実施の形態１．
図１は、実施の形態１による系統連系パワーコンディショナの構成を示すブロック図である。
図１に示すように、実施の形態１による系統連系パワーコンディショナ（単に、パワーコンディショナとも記す）１００は、直流電力を発電する太陽電池２００と、５０Ｈｚ或いは６０Ｈｚの商用系統電源３００との間に配置される。
商用系統電源３００は、単相３線式または三相３線式の商用配電系統で用いられる系統電源ある。
なお、図１は単線結線の場合を示しているが、単相三線式の商用系統電源に連系させる場合は単相インバータを用い、三相３線式の商用系統電源に連系させる場合は三相インバータを用いる。
【００１６】
パワーコンディショナ１００は、太陽電池２００の電圧を昇圧するための昇圧回路１０（昇圧回路が無い場合もある）、太陽電池２００が発電する直流電力を交流電力に変換するインバータ回路（単にインバータとも称す）２０が設けられている。
また、インバータ回路２０の出力段には、フィルタ３０が配置され、インバータ回路２０の出力電流波形を滑らかにする。
【００１７】
制御回路４０は、太陽電池２００から出力する電圧Ｖｓ、電流センサ（例えばカレントトランス）５０で検出される太陽電池電流Ｉｓより太陽電池２００の出力電力を演算し、商用系統電源３００の電圧Ｖｏを検出し、系統電源の位相に同期した電流を出力する。
具体的には、系統電圧の位相を図示しない計装用トランスで検出し、検出したアナログ信号電圧を制御回路４０で分析し、制御回路４０は系統電圧位相に同期した電流をインバータ回路２０から出力させる。
電流センサ（例えばカレントトランス）６０で検出されるインバータ出力電流の瞬時値“Ｉio”と制御回路４０からの指令値である目標出力電流“Ｉio＊”とが等しくなるようにフィードバック制御が行われる。
【００１８】
フィルタ３０で滑らかにされた交流出力電流は、パワーコンディショナ１００から商用系統電源３００に流れる交流出力電流を検出するセンサ（シャント抵抗）７０に流れる。
そして、センサ（シャント抵抗）７０の両端に発生する微小電圧信号は、信号用配線８０を通じてセンサ（シャント抵抗）７０のすぐ近傍に配置された直流検出回路９０に入力される。
直流検出回路９０で検出された直流成分“Ｉfo-ＤＣ”は制御回路４０に入力される。
そして、制御回路４０は、「インバータ回路２０の交流出力電流に含まれる直流成分」を演算する。
制御回路４０は、インバータ回路２０の交流出力電流に含まれる直流成分（即ち、パワーコンディショナ１００から商用系統電源３００に流れる交流出力電流の直流成分）が所定の規定値内に補正されるように目標出力電流“Ｉio＊”（即ち、インバータ制御信号）を調整してインバータ回路２０に入力し、インバータ回路２０の出力電流を制御して商用系統電源３００へ出力する。
直流成分の補正が遅れるなどしてインバータ（即ち、インバータ回路２０）の交流出力電流に規定値以上の直流成分が含まれる場合は、パワーコンディショナ１００の運転を停止する。
この規定値は、国内の系統連系規定では定格出力電流の１％以下、米国認証で参照されるＩＥＥＥ１５４７規定では０．５％以下と規定されている。
【００１９】
図２は、本実施の形態における直流検出回路９０と制御回路４０の具体的な構成を示す図である。
センサ（シャント抵抗）７０にインバータ回路２０の出力電流が流れると、センサ（シャント抵抗）７０の両端に電圧ＶＲが発生する。
この電圧ＶＲは微小電圧であるため、電圧ＶＲをセンサ（シャント抵抗）７０の近傍に配置された直流検出回路９０内の演算増幅器９１に入力して、所定の電圧まで増幅する。
また、センサ（シャント抵抗）７０は主回路電流（即ち、商用系統電源へ出力する交流電流）を絶縁せずに電圧に変換しているため、制御回路４０へ信号を取り込むために電気的絶縁をする必要がある。そのため、アイソレーションアンプ９２によって演算増幅器９１の出力電圧信号を絶縁する。
アイソレーションアンプ９２の出力は、演算増幅器９１が出力する電圧信号に含まれる直流分のみを増幅するため、ローパスフィルタ（ＬＰＦ）で構成される直流フィルタ９３を通り、アナログ電圧が制御回路４０へ伝送される。
このアナログ電圧を制御回路４０内のＡ／Ｄ変換器４１でデジタル信号に変換し、ＣＰＵ４２で直流分を演算する。
そして、ＣＰＵ４２からインバータ回路２０に対してインバータ制御信号（即ち、目標出力電流“Ｉio＊”）を出力する。
インバータ回路２０は、インバータ制御信号（目標出力電流“Ｉio＊”）に基づいて出力電流の直流分を抑制するように制御される。
【００２０】
以上説明したように、本実施の形態による系統連系パワーコンディショナは、太陽電池２００が発電する直流電力をインバータ回路（インバータ）２０にて交流電力に変換し、商用系統電源３００に電力を出力する系統連系パワーコンディショナであって、
太陽電池２００から出力する直流電圧を昇圧する昇圧回路１０と、昇圧回路１０で昇圧された直流電圧に基づく直流電力を交流電力に変換するインバータ回路（インバータ）２０と、インバータ回路（インバータ）２０の出力電流波形の直流成分を抽出し、インバータ回路（インバータ）２０の出力電流波形を滑らかにするフィルタ３０と、フィルタ３０を介して商用系統電源３００に入力する前記インバータ回路（インバータ）２０の出力電流が流れるセンサ（シャント抵抗）７０と、センサ７０に流れる電流の直流成分を検出する直流検出回路９０と、太陽電池２００の出力電圧Ｖｓ、太陽電池電流Ｉｓ、商用系統電源３００の電圧Ｖｏおよび直流検出回路９０で検出された直流成分“Ｉfo-ＤＣ”に基づいて、インバータ回路（インバータ）２０の目標出力電流“Ｉio＊”を制御する制御回路４０を備え、センサ（シャント抵抗）７０に近接して直流検出回路９０が配置されていることを特徴とする。
【００２１】
したがって、本実施の形態によれば、交流出力電流に含まれる直流成分を検出するセンサ（シャント抵抗）７０を一枚のプリント基板上に実装できないような大容量のパワーコンディショナにおいても、センサ（シャント抵抗）７０の近傍に直流検出回路９０を配置することによって、電磁ノイズなどの影響を抑制でき、センサ（シャント抵抗）７０の両端に発生する微小電圧を直流検出回路９０で正確に検出することができる。
即ち、出力電流が大きいために、直流成分検出用のシャント抵抗であるセンサ７０と直流検出回路９０とを分離して配置せざるをえない大容量のパワーコンディショナにおいても、交流出力電流に含まれる直流成分を精度良く検出し、規定値以上の直流成分を電力系統に流出することを防止できる。
【００２２】
実施の形態２．
実施の形態２は、三相系統に連系するパワーコンディショナの直流抑制制御に関するものであって、三相交流出力電流に含まれる直流成分を検出するためには、センサとしてのシャント抵抗を各相に配置する必要がある。
なお、三相交流の場合、二相の電流が検出できれば、残りの一相の電流は演算で求めることができるため、通常はセンサ（シャント抵抗）を２個設置する。
このように、センサとしてのシャント抵抗を複数個使用する場合、例えば、図３に示すようにシャント抵抗を上下に配置すると、下側のシャント抵抗（例えばＶ相用のシャント抵抗）７０Ｖの発熱が上側のシャント抵抗（例えばＵ相用のシャント抵抗）７０Ｕに影響を及ぼし、上側のシャント抵抗（Ｕ相用のシャント抵抗）７０Ｕの温度を上昇させる。
したがって、上下に配置されたシャント抵抗の温度差が大きくなり、温度特性によってシャント抵抗の抵抗値の差が大きくなる。
このようなことが生じないように、図４ように、シャント抵抗の発熱が互いに影響しないように、固定用金具を用いて左右に並べて配置することで、温度上昇によるシャント抵抗の抵抗値の変化の差を少なくする。
【００２３】
本実施の形態による三相用の系統連系パワーコンディショナの具体的な構成図は省略するが、本実施の形態では、図１に示したインバータ回路２０に代えて三相用のインバータ回路２０を用い、この三相用のインバータ回路２０に太陽電池２００が発電する直流電力を三相の交流電力に変換する。
そして、電流センサ６０、フィルタ３０、センサ（シャント抵抗）７０、信号用配線８０および直流検出回路９０は、三相の各相に対応して設けられている。また、商用系統電源３００は三相の商用系統電源である。
【００２４】
具体的に説明すると、本実施の形態によるパワーコンディショナは、太陽電池２００が発電する直流電力を三相用のインバータ回路（即ち、三相用のインバータ）２０にて三相の交流電力に変換し、三相の商用系統電源３００に電力を出力する三相用の系統連系パワーコンディショナであって、太陽電池２００から出力する直流電圧を昇圧する昇圧回路１０と、昇圧回路１０で昇圧された直流電圧に基づく直流電力を三相の交流電力に変換する三相用のインバータ回路（三相用のインバータ）２０と、三相用のインバータ回路（三相用のインバータ）２０の各相の出力電流波形の直流成分を抽出し、三相用のインバータ回路（三相用のインバータ）２０の各相の出力電流波形をそれぞれ滑らかにするフィルタ３０と、各相のフィルタ３０を介して三相の商用系統電源３００に入力する三相用のインバータ回路（三相用のインバータ）２０の各相の出力電流が流れる三相用のセンサ（シャント抵抗）７０と、三相の各センサ（シャント抵抗）に流れる電流の直流成分をそれぞれ検出する三相用の直流検出回路９０と、太陽電池２００の出力電圧Ｖｓ、太陽電池電流Ｉｓ、三相の商用系統電源３００の電圧Ｖｏおよび三相用の直流検出回路９０で検出された各相の直流成分“Ｉfo-ＤＣ”に基づいて、三相用のインバータ回路２０の各相の目標出力電流“Ｉio＊”を制御する制御回路４０を備え、各相のセンサ（シャント抵抗）７０にそれぞれ近接して三相用の直流検出回路９０が配置されていると共に、各センサ（例えば、Ｕ相用のシャント抵抗７０ＵおよびＶ相用のシャント抵抗７０Ｖ）は、相互に発熱の影響を受けないように左右に並べて配置されている。
【００２５】
以上説明したように、実施の形態２による系統連系パワーコンディショナは、太陽電池２００が発電する直流電力を三相用のインバータ回路（即ち、三相用のインバータ）２０にて交流電力に変換し、三相の商用系統電源３００に電力を出力する三相用の系統連系パワーコンディショナであって、各相のセンサにそれぞれ近接して三相用の直流検出回路９０が配置されていると共に、各センサ（例えば、Ｕ相用のシャント抵抗７０ＵおよびＶ相用のシャント抵抗７０Ｖ）は、相互に発熱の影響を受けないように左右に並べて配置されている。
したがって、実施の形態２によれば、センサと直流検出回路を接続する信号用配線を短くすることによって信号用配線が受けるノイズの影響を少なくすると共に、シャント抵抗の温度による抵抗値の変化に差が生じないようにすることが可能となり、三相用の系統連系パワーコンディショナにおける直流検出回路の検出誤差をさらに正確に抑制することができる。即ち、出力電流が大きいために直流成分検出用のシャント抵抗と検出回路とを分離して配置せざるをえない大容量の三相用のパワーコンディショナにおいても、各相の交流出力電流に含まれる直流成分を精度良く検出し、規定値以上の直流成分を三相の電力系統に流出することを防止できる。
【産業上の利用可能性】
【００２６】
本発明は、交流出力電流に含まれる直流成分を正確に検出し、交流出力電流に含まれる直流成分を規定値以内に収めることができる系統連系パワーコンディショナの実現に有用である。
【符号の説明】
【００２７】
１００  パワーコンディショナ
２００  太陽電池
３００  商用系統電源
１０  昇圧回路  ２０  インバータ回路（インバータ）
３０  フィルタ  ４０  制御回路
４１  Ａ／Ｄ変換器  ４２  ＣＰＵ
５０、６０  電流センサ
７０  センサ（シャント抵抗）
８０  信号用配線
９０  直流検出回路
９１  演算増幅器  ９２  アイソレーションアンプ  
９３直流フィルタ
７０Ｕ、７０Ｖ  シャント抵抗
【図１】
2012073582.tif 000003
【図２】
2012073582.tif 000004
【図３】
2012073582.tif 000005
【図４】
2012073582.tif 000006
【図５】
2012073582.tif 000007
【図６】
2012073582.tif 000008
【図７】
2012073582.tif 000009
【国際調査報告】
2012073582.tif 000010
2012073582.tif 000011
2012073582.tif 000012
2012073582.tif 000013